(57)【要約】【課題】  塀または手摺等を簡易に設けることができる笠木、及びこうした笠木を用いた施工方法を提案する。【解決手段】  躯体の上部に取り付けられる笠木に関し、この笠木は、長手方向に伸びる長尺状である。そして、長手方向に直交する横断面形状が、笠木の上面を画定する笠部と、上端が笠部に接続され、笠木の側面を画定する側方部と、側方部から内側に延び、笠木の下面を画定する底部と、笠木が躯体の上面に配置されるときに躯体を挟むように構成され、上端が笠部に接続され、底部よりも下方に延出すると共に側面に当該底部が接続される第１脚部および第２脚部と、底部よりも上方において第１脚部および第２脚部に接続される梁部と、を備える。【選択図】図１
2019196647.tif 000002
【特許請求の範囲】
【請求項１】
躯体の上部に取り付けられる笠木であって、
前記笠木は、長手方向に伸びる長尺状であり、
前記長手方向に直交する横断面形状が、
前記笠木の上面を画定する笠部と、
上端が前記笠部に接続され、前記笠木の側面を画定する側方部と、
前記側方部から内側に延び、前記笠木の下面を画定する底部と、
前記笠木が前記躯体の上部に配置されるときに前記躯体を挟むように構成され、上端が前記笠部に接続され、前記底部よりも下方に延出すると共に側面に当該底部が接続される第１脚部および第２脚部と、
前記底部よりも上方において前記第１脚部および前記第２脚部に接続される梁部と、
を備える、笠木。
【請求項２】
前記側方部、前記第１脚部、及び前記第２脚部が、互いに平行な板面を有する、請求項１に記載の笠木。
【請求項３】
前記笠部の上面が曲面状である、請求項１又は２に記載の笠木。
【請求項４】
前記側方部が側面に凹部を有する、請求項１から３の何れか１項に記載の笠木。
【請求項５】
前記笠部が上面に複数の溝を有する、請求項１から４の何れか１項に記載の笠木。
【請求項６】
前記笠木が金属素材または樹脂素材の押出成形により形成されている、請求項１から５の何れか１項に記載の笠木。
【請求項７】
複数の支柱を建てる工程と、
請求項１から６の何れか１項に記載の笠木を用意する工程と、
前記複数の支柱の上端に前記載置面が載置されるように、前記笠木を配置する工程と、
前記第１脚部と前記第２脚部との少なくとも一方を介して前記複数の支柱に締結具を締結させることにより前記笠木を前記複数の支柱に固定する工程と、
を含むことを特徴とする施工方法。
【発明の詳細な説明】
【技術分野】
【０００１】
本発明は、笠木、及び笠木を用いた施工方法に関する。
【背景技術】
【０００２】
従来、住宅の外構等に塀を設けるために、鉄筋コンクリート又はブロック等で躯体が形成され、その躯体の上部に、塀の保護および装飾等の目的で躯体の上端面を覆うように笠木が取り付けられることが行われている。笠木の配設方法としては、例えば樹脂材料や金属材料、コンクリート等で予め形成された笠木を、ブラケット又はセメント等を介して躯体の上部に固定する方法や、現場で職人がモルタルによって塀の上部に笠木を形成して配設する方法が知られている。
【先行技術文献】
【特許文献】
【０００３】
【特許文献１】特開２０１４−２０２０１５号公報
【発明の概要】
【発明が解決しようとする課題】
【０００４】
従来の施工方法によって設けられた塀は、鉄筋コンクリート、コンクリート、又はモルタル等の重量が大きいため、塀全体の重量が大きくなっていた。一般に、外構等に設けられる塀は建物に比べて簡易な基礎の上に設けられ、重量の大きい塀は、地盤が弱い場所等に適さない。また、従来の笠木の配設方法では、コンクリート又はモルタルを練ったり乾燥させたりするのに時間がかかり、工期が長くなっていた。さらに、工期が長いために作業員による工賃が高くなると共に、コンクリート又はモルタル自体の費用が高いため、コストが高くなっていた。
【課題を解決するための手段】
【０００５】
本発明は、上記課題の少なくとも一部を解決するためになされたものであり、塀または手摺等を簡易に設けることができる笠木、及びこうした笠木を用いた施工方法を提案することを目的の１つとする。
【０００６】
（形態１）形態１によれば、躯体の上部に取り付けられる笠木が提案され、前記笠木は、長手方向に伸びる長尺状であり、前記長手方向に直交する横断面形状が、前記笠木の上面を画定する笠部と、上端が前記笠部に接続され、前記笠木の側面を画定する側方部と、前記側方部から内側に延び、前記笠木の下面を画定する底部と、前記笠木が前記躯体の上部に配置されるときに前記躯体を挟むように構成され、上端が前記笠部に接続され、前記底部よりも下方に延出すると共に側面に当該底部が接続される第１脚部および第２脚部と、前記底部よりも上方において前記第１脚部および前記第２脚部に接続される梁部と、を備える。形態１によれば、剛性の高い笠木を提供することができ、こうした笠木を用いて塀または手摺等を構成することにより、塀または手摺等を簡易に設けることができる。
【０００７】
（形態２）形態２によれば、形態１の笠木において、前記側方部、前記第１脚部、及び前記第２脚部が、互いに平行な板面を有する。
【０００８】
（形態３）形態３によれば、形態１又は２の笠木において、前記笠部の上面が曲面状である。
（形態４）形態４によれば、形態１から３の何れかの笠木において、前記側方部が側面に凹部を有する。
【０００９】
（形態５）形態５によれば、形態１から４の何れかの笠木において、前記笠部が上面に複数の溝を有する。
（形態６）形態６によれば、形態１から５の何れかの笠木において、前記笠木が金属素材または樹脂素材の押出成形により形成されている。
【００１０】
（形態７）形態７によれば、笠木を用いた施工方法が提案され、前記施工方法は、複数の支柱を建てる工程と、形態１から６の何れかの笠木を用意する工程と、前記複数の支柱の上端に前記載置面が載置されるように、前記笠木を配置する工程と、前記第１脚部と前記第２脚部との少なくとも一方を介して前記複数の支柱に締結具を締結させることにより前記笠木を前記複数の支柱に固定する工程と、を含む。形態７によれば、塀または手摺等を簡易に設けることができる。
【図面の簡単な説明】
【００１１】
【図１】本発明の実施形態に係る笠木の一例を示す斜視図である。
【図２】図１の笠木の長手方向に直交する横断面形状を示す図である。
【図３】塀または手摺の施工方法の一例を説明するための図である。
【図４】塀または手摺の施工方法の一例を説明するための図である。
【図５】塀または手摺の施工方法の一例を説明するための図である。
【図６】塀または手摺の施工方法の一例を説明するための図である。
【図７】変形例の塀または手摺の一例を示す図である。
【発明を実施するための形態】
【００１２】
以下、本発明の実施形態について図面を参照して説明する。以下で説明する図面において、同一の又は相当する構成要素には、同一の符号を付して重複した説明を省略する。本実施形態の笠木は、躯体の上部に取り付けられて使用されるものであり、例えば塀または手摺を設けるために利用することができる。ただし、本実施形態の笠木は、塀または手摺に使用されることに限定されず、例えば建物の壁またはパラペット等の他の躯体の上部に取り付けられて使用されてもよい。
【００１３】
図１は、本発明の実施形態に係る笠木の一例を示す斜視図であり、図２は、図１の笠木の長手方向に直交する横断面形状を示す図である。なお、図２では、笠木１０の上面の一部を拡大したものを合わせて示している。図示するように、笠木１０は、長手方向に沿って長い長尺状である。以下、笠木１０の長手方向をＸｄ方向、笠木１０の短手方向をＹｄ方向、笠木１０の高さ方向をＺｄ方向として説明する。笠木１０は、本実施形態では、図２に示す横断面形状がＸｄ方向に連続する形状となっている。なお、笠木１０の長手方向（Ｘｄ方向）の長さは、笠木１０を用いて構成する塀または手摺等の寸法に基づいて所望の長さとすればよい。笠木１０は、例えば金属素材または樹脂素材の押出成形、鋳造、または樹脂素材の射出形成などにより形成することができる。一例として、本実施形態の笠木１０は、アルミニウム材の押出成形により形成されている。
【００１４】
図１及び図２に示すように、笠木１０は、笠部１２、側方部１４、底部１６、脚部１８（第１脚部１８ａ、第２脚部１８ｂ）、及び梁部２０を備える。ここで、本実施形態の笠木１０は、短手方向（Ｙｄ方向）において対称な形状となっており、側方部１４、底部１６、脚部１８のそれぞれが２つずつ存在する。ただし、笠木１０は、Ｙｄ方向において非対称な形状であってもよい。また、本実施形態では、笠部１２、側方部１４、底部１６、脚部１８、及び梁部２０のそれぞれは、略同一の厚みとされているが、一部が異なる厚みとされてもよい。また、以下の説明では、脚部１８の一方を第１脚部１８ａ、脚部１８の他方を第２脚部１８ｂとも呼ぶ。
【００１５】
笠部１２は、笠木１０の上面を画定する。本実施形態では、笠部１２の上面、つまり笠木１０の上面は、上方に凸となる曲面状となっている。このように笠木１０の上面が曲面状であることにより、雨および塵埃などが笠木１０の上面に留まることを抑制できる。ただし、こうした例に限定されず、笠部１２の上面は、Ｙｄ方向において中央が高く両端に向けて低くなる傾斜とされてもよいし、Ｙｄ方向において一端側が低くなる傾斜とされてもよい。また、笠部１２の上面は、平坦であってもよいし、波面又はジグザグ状等の任意のデザインとされてもよい。
【００１６】
また、図２において一部を拡大して示しているように、笠部１２は、Ｙｄ方向の中央近傍の領域に複数の溝１３が形成されている（図１では不図示）。このように溝１３を設けることにより、特に金属素材の押出成形によって笠木１０を形成するときに、笠木１０にクラック（ひび割れ）が生じることを抑制できる。ただし、こうした例に限定されず、笠部１２に溝１３が形成されなくてもよいし、笠部１２に代えて又は加えて、笠木１０の他の場所に溝が形成されてもよい。
【００１７】
側方部１４は、笠部１２に接続され、笠木１０の側面を画定する。本実施形態では、側方部１４は、Ｙｄ方向における笠部１２の両端から連続し、Ｚｄ方向に沿って延びている。ただし、こうした例に限定されず、Ｙｄ方向において笠部１２の両端が側方部１４を超えて突出するように構成されてもよい。また、側方部１４がＺｄ方向に対して傾斜していてもよいし、曲面状等であってもよい。
【００１８】
また、側方部１４の側面には、笠木１０の中央側に凹んだ凹部１５が形成されている。このように凹部１５が形成されることにより、凹部１５に指を掛けることができ、笠木１０を容易に把持できる。また、凹部１５は、笠木１０のデザインとしても機能し得る。ただし、こうした例に限定されず、側方部１４には２以上の凹部１５が形成されてもよいし、凹部１５が形成されなくてもよい。また、凹部１５に代えて又は加えて凸部が側方部１４に形成されてもよい。
【００１９】
底部１６は、側方部１４から内側に延び、笠木１０の下面を画定する。本実施形態では、底部１６は、側方部１４の下端から連続し、Ｙｄ方向に沿って延びている。ただし、こうした例に限定されず、例えば側方部１４の下端が底部１６よりも下方に突出してもよい。また、底部１６がＹｄ方向に対して傾斜していてもよいし、曲面状等であってもよい。
【００２０】
第１脚部１８ａと第２脚部１８ｂと（脚部１８）は、Ｙｄ方向において互いに離間して配置されており、Ｙｄ方向に沿って延びている。つまり、本実施形態では、脚部１８と側方部１４とは、互いに平行な板面を有している。第１脚部１８ａと第２脚部１８ｂとの互いの距離は、笠木１０が躯体の上部に取り付けられるときに、第１脚部１８ａと第２脚部１８ｂとによって躯体を挟むことができる距離として予め定められた距離とすることができる。第１脚部１８ａ及び第２脚部１８ｂの上端は笠部１２に接続されている。また、第１脚部１８ａ及び第２脚部１８ｂのＹｄ方向外側の側面には、底部１６が接続されており、第１脚部１８ａ及び第２脚部１８ｂの下端は底部１６よりも下方に延出する。
【００２１】
梁部２０は、底部１６よりもＺｄ方向において笠部１２に近い位置において、つまり底部１６よりも上方において、第１脚部１８ａ及び第２脚部１８ｂに接続されている。
【００２２】
こうした構成により、笠木１０は、脚部１８、笠部１２、側方部１４、及び底部１６によって囲まれた空間を有する。また、笠木１０は、脚部１８、笠部１２、及び梁部２０によって囲まれた空間を有する。言い換えれば、笠部１２、側方部１４、底部１６、脚部１８、及び梁部２０は、それぞれに２カ所以上で他の部分に接続される。こうした形状により、剛性の高い笠木１０を実現することができる。
【００２３】
なお、図１及び図２に示す例では、傘部１２と側方部１４との接続部や、側方部１４と底部１６との接続部は、角となっている。しかし、こうした例に限定されず、これらの角は丸められていてもよいし、互いに滑らかに連続するように接続されていてもよい。
【００２４】
次に、本実施形態の笠木１０を用いて塀または手摺などを施工する方法について説明する。図３〜６は、塀または手摺等の施工方法の一例を説明するための図である。本実施形態の笠木１０を用いた施工方法では、まず、図３に示すように、複数の支柱１００を建てる。複数の支柱１００は、塀または手摺などの躯体を構成する。一例として、支柱１００は、アルミニウムなどの金属製による中空の角パイプもしくは丸パイプとすることができる。ただし、こうした例によらず、支柱１００として、Ｈ形鋼、Ｃ形鋼などの形鋼を用いてもよいし、樹脂素材または木材で形成された柱を用いてもよい。図４に示す例では、支柱１００は、ブロック１０２の孔１０２ａに支柱１００を挿し込んでモルタル等で固定することにより建てられている。ただし、こうした例に限定されず、支柱１００は、公知の任意の方法によって建てられればよい。また、複数の支柱１００は、例えば互いに４５５ｍｍの距離をあけて建てられるとよい。
【００２５】
続いて、図４に示すように、躯体としての複数の支柱１００の上部に笠木１０を取り付ける。具体的には、まず、笠木１０の第１脚部１８ａ及び第２脚部１８ｂとの間に支柱１００が位置するように、笠木１０を支柱１００の上部に配置する。このときには、梁部２０の下面が支柱１００の上端に載置されるとよい。こうすることにより、支柱１００に対して笠木１０を容易に配置することができる。そして、第１脚部１８ａと第２脚部１８ｂとのうち底部１６よりも下方に突出した部分を介してタッピングビスなどの締結具１０４を支柱１００に締結させることによって、笠木１０と支柱１００を締結する。なお、笠木１０と支柱１００とは、第１脚部１８ａと第２脚部１８ｂとの一方側だけを介して締結されてもよい。
【００２６】
このように本実施形態の笠木１０では、笠木１０自体の剛性が高いため、躯体の上部に笠木１０を配置して締結具１０４によって躯体と笠木１０とを直接に締結することにより、塀または手摺等の頂部を形成することができる。また、笠木１０の梁部２０が底部１６よりも上方に設けられているため、第１脚部１８ａと第２脚部１８ｂとの間に支柱１００を挿入できる距離を大きくすることができ、笠木１０と支柱１００との取り付けの安定性を向上させることができる。そして、躯体と笠木１０との固定にモルタル又はコンクリートなどを使用しなくてもよいため、施工期間の短縮、及び塀または手摺などの軽量化を図ることができる。なお、以下の説明では、躯体の側面にサイディング１０６を取り付けるものとしているが、躯体の上部に笠木１０が取り付けられた状態で、サイディング１０６を取り付けることなく手摺または柵などとして使用されてもよい。
【００２７】
そして、図５に示すように、支柱１００の側面にサイディング（パネル）１０６を取り付ける。なお、図５では、図の見易さのため、サイディング１０６を破線で示して透明とし、サイディング１０６の後方にある要素を実線で示している。図５に示す例では、サイディング１０６を介してタッピングビスなどの締結具１０８を支柱１００に締結させることによって、サイディング１０６と支柱１００との取り付けが行われている。ただし、こうした例に限定されず、サイディング１０６の支柱１００への取り付けは任意の手法でなされればよく、例えば留付金具を用いてサイディング１０６と支柱１００との取り付けがなされてもよい。なお、サイディング１０６は、笠木１０よりも下方に取り付けられてもよいし、笠木１０の脚部１８の少なくとも一部に重なるように取り付けられてもよい。また、笠木１０とサイディング１０６との隙間がシール材によってシールされてもよい。このようにして、図６に示すように、側面がサイディング１０６によって覆われた塀または手摺などを作成することができる。なお、図５および図６に示す例では、サイディング１０６は、支柱１００の側面全体を覆うものとしているが、図７の変形例に示すように、支柱１００の側面の一部のみを覆うサイディング１０６Ａが用いられてもよい。また、サイディング１０６、１０６Ａに代えて、支柱１００同士の間にフェンス等が取り付けられるものとしてもよい。
【００２８】
このように本実施形態の施工方法では、支柱１００にサイディング１０６を取り付けて塀または手摺などが形成されるため、内部に空間があり、塀または手摺の軽量化を図ることができる。一般に、塀を構成する躯体は、住宅を構成する躯体に比べて基礎部が簡易に構成されており、住宅等に比べて地震等に対する耐性が低い。そして、重量の大きい塀または手摺などは、万一倒れた場合の危険性が高く、また地盤の弱い場所等に設けることができない場合がある。これに対して、本実施形態の笠木１０を用いた施工方法によれば、軽量で強度の高い塀または手摺を製作することができ、地盤の弱い場所等にも塀または手摺を容易に設けることができる。また、締結具１０４によって支柱１００と笠木１０とを直接に締結させることができるとともに、支柱１００に対してサイディング１０６を取り付けて塀または手摺などを作成することができるので、施工が容易であるとともに工期を短くすることができる。さらに、サイディング１０６として、様々なデザインのものを使用することができ、例えば建物の外観と合わせたサイディングを用いることにより、建物と外構との一体感を出すこともできる。また、サイディング１０６のみを交換することにより、塀または手摺等のメンテナンス又はデザインの変更などを行うこともできる。
【００２９】
以上、本発明の実施の形態について説明してきたが、上記した発明の実施の形態は、本発明の理解を容易にするためのものであり、本発明を限定するものではない。本発明は、その趣旨を逸脱することなく、変更、改良され得るとともに、本発明にはその均等物が含まれることはもちろんである。また、上述した課題の少なくとも一部を解決できる範囲、または、効果の少なくとも一部を奏する範囲において、実施形態および変形例の任意の組み合わせが可能であり、特許請求の範囲および明細書に記載された各構成要素の任意の組み合わせ、または、省略が可能である。
【符号の説明】
【００３０】
１０…笠木
１２…笠部
１３…溝
１４…側方部
１５…凹部
１６…底部
１８ａ…第１脚部
１８ｂ…第２脚部
２０…梁部
【図１】
2019196647.tif 000003
【図２】
2019196647.tif 000004
【図３】
2019196647.tif 000005
【図４】
2019196647.tif 000006
【図５】
2019196647.tif 000007
【図６】
2019196647.tif 000008
【図７】
2019196647.tif 000009